(57)【特許請求の範囲】
【請求項１】
熱交換器、送風機等を内蔵した空気調和機本体と、前記空気調和機本体の下面に密着した化粧パネルと、前記化粧パネルの上面一隅に取り付けられた単一の昇降モータと、前記化粧パネルの上面四隅にそれぞれ設けられたパネルプーリと、前記化粧パネルに内挿される吸い込みグリルと、前記吸い込みグリルの上面に置かれるフィルターと、前記吸い込みグリルの上面四隅に位置するグリルプーリと、一端を前記昇降モータの軸に固着し前記パネルプーリと前記グリルプーリとの間を鉛直方向に数回通過させた後、他端を前記化粧パネルの上面の一隅に固着した一本のワイヤと、前記化粧パネルの上面で前記吸い込みグリルの内挿時にスイッチがオンする位置に設けたリミットスイッチとより構成されるグリル昇降装置。
【請求項２】
化粧パネルの上面でかつ吸い込みグリルの内挿時にスイッチがオンする位置に左リミットスイッチを一個設け、さらに前記化粧パネルの中心に対し、前記左リミットスイッチの点対称となる位置に右リミットスイッチを設けた請求項１記載のグリル昇降装置。
【請求項３】
グリルプーリを四隅に設けた枠と、吸い込みグリルを前記枠の下面に固着するクランプとより構成される請求項１記載のグリル昇降装置。
【発明の詳細な説明】
【０００１】
【発明の属する技術分野】
本発明は、空気調和機の吸い込みグリル昇降装置に関する。
【０００２】
【従来の技術】
従来、空気調和機のグリル昇降装置は特開平６−１５９７１８号公報に記載されたものが知られている。
【０００３】
図５および図６に示すように、従来の空気調和機のグリル昇降装置は、熱交換器１と送風機２とを内蔵した空気調和機本体３と、空気調和機本体３の下面に密着し天井４と同一面となる化粧パネル５と、化粧パネル５の上面四隅にそれぞれ取り付けられ、かつトルクリミッターを内蔵した昇降モータ６と、化粧パネル５の上面四隅にそれぞれ設けられたスプロール７と、化粧パネル５に内挿される吸い込みグリル８と、吸い込みグリル８の上面に置かれるフィルター９と、一端を昇降モータ６の軸１０に固着されスプロール７を通過した後、他端を吸い込みグリル８の上面一隅に固着した四本のワイヤ１１とより構成されている。
【０００４】
以上のように構成されたグリル昇降装置について以下その動作について説明する。空気調和機本体３が運転されると送風機２は、吸い込みグリル８およびフィルター９を通して空気を吸い込み、熱交換器１に送り、化粧パネル５から吹き出す。一定期間が過ぎるとフィルター９に塵埃が捕集され、空気抵抗が増え空気調和効率が悪くなる。よって、フィルター９を洗浄するため、昇降モータ６を運転しワイヤ１１を下へ送り、吸い込みグリル８ごと下方へ降ろす。
【０００５】
次にフィルター９を洗浄したのち吸い込みグリル８の上にのせ、昇降モータ６を逆回転しワイヤ１１を引き上げる。このとき、四本のワイヤ１１の巻き取りスピードにずれが生じ、先に巻き上げが完了した昇降モータ６は、内蔵されたトルクリミッターによりモータのスリップ回転のみ続く。遅れた最後のワイヤ１１の巻き取りが完了すると検知用のリミットスイッチ（図示せず）がオンし全昇降モータ６を停止させる。このとき、吸い込みグリル８が化粧パネル５にひっかかり完全に内挿されないことを想定して、四本のワイヤ１１を同時に少し緩めて再度引き上げを行い動作を完了する。
【０００６】
【発明が解決しようとする課題】
しかしながら、このグリル昇降装置では、トルクリミッター内蔵の昇降モータ６を四個も用い、構造が複雑でコストがかかる。また、吸い込みグリル８が完全に化粧パネル５に内挿されたかどうかを検知できずに動作を完了している。また、フィルター９を洗浄すると同時に吸い込みグリル８も洗浄するときがあり、吸い込みグリル８を四本のワイヤ１１から外すと四本のワイヤ１１が曲げぐせのため宙ぶらりんになり、からまるおそれもあり、洗浄後四本のワイヤ１１を取り付けにくいという欠点を有していた。
【０００７】
このグリル昇降装置においては、構造が簡単でコストが安く、昇降動作が確実に完了でき、フィルターのみならず、吸い込みグリルも簡単に洗浄できることが要求されている。
【０００８】
本発明は、トルクリミッターを内蔵しない単一の昇降モータを用いコストを下げ、また、リミットスイッチを２個用いて動作完了を確認でき、また、フィルターのみならず吸い込みグリルも簡単に洗浄できる装置を提供することを目的とする。
【０００９】
【課題を解決するための手段】
この課題を解決するために本発明は、トルクリミッターを内蔵しない単一の昇降モータと、化粧パネル上の４個のパネルプーリと吸い込みグリル上の４個のグリルプーリとを交互に結んだ１本のワイヤとより構成したものである。
【００１０】
また、化粧パネルにリミットスイッチを２個点対称となる位置に設けた構成としたものである。
【００１１】
また、グリルプーリを枠に設け、吸い込みグリルがクランプを介して前記枠に固着される構成としたものである。
【００１２】
これにより、構造が簡単でコストが安く、昇降動作完了を確認でき、フィルターのみならず、吸い込みグリルも簡単に洗浄できるグリル昇降装置が得られる。
【００１３】
【発明の実施の形態】
本発明の請求項１に記載の発明は、熱交換器、送風機等を内蔵した空気調和機本体と、前記空気調和機本体の下面に密着した化粧パネルと、前記化粧パネルの上面一隅に取り付けられ、かつトルクリミッターを内蔵しない単一の昇降モータと、前記の化粧パネルの上面四隅にそれぞれ設けられたパネルプーリと、前記化粧パネルに内挿される吸い込みグリルと、前記吸い込みグリルの上面に置かれるフィルターと、前記吸い込みグリルの上面四隅に位置するグリルプーリと、一端を前記昇降モータの軸に固着し前記パネルプーリと前記グリルプーリとの間を鉛直方向に数回通過した後、他端を前記化粧パネルの上面の一隅に固着した一本のワイヤと、前記化粧パネルの上面でかつ前記吸い込みグリルの内挿時にスイッチがオンする位置に設けたリミットスイッチとより構成されるグリル昇降装置としたものであり、一本のワイヤで４個のグリルプーリを引き上げているため先に引き上げの終わったグリルプーリはトルクリミッターがなくてもワイヤに余計な力が加わることなく、残りの３個に引き上げの力が伝達される。同様にして最後のグリルプーリが引き上げが完了した時点でリミットスイッチが作動し昇降モータを停止させるという作用を有する
請求項２に記載の発明は、化粧パネルの上面でかつ吸い込みグリルの内挿時にスイッチがオンする位置に左リミットスイッチを一個設け、さらに前記化粧パネルの中心に対し、前記左リミットスイッチの点対称となる位置に右リミットスイッチを設けた構成のグリル昇降位置としたものであり、吸い込みグリルが引き上げられる際に、吸い込みグリルの右側が化粧パネルにひっかかり水平状態でなく吸い込みグリルの左側のみが左リミットスイッチに当たった場合、右リミットスイッチはオンしていないため、内挿が完了できていないことを検知できる。このときは、異常を表示し、再引き上げを行う。左リミットスイッチと右リミットスイッチが同時にオンとなるときのみ内挿が完了したとして、昇降モータ１３を停止させ正常動作と判断するという作用を有する。
【００１４】
請求項３に記載の発明は、グリルプーリを四隅に設けた枠と、吸い込みグリルの上面に位置しひっかけ爪で前記枠をはさみこむ弾性体のクランプとより構成されるグリル昇降装置としたものであり、フィルターを洗浄すると同時に吸い込みグリルを洗浄するとき、吸い込みグリルをワイヤから外すとワイヤの曲げぐせのため宙ぶらりんになり、からまるおそれがあるため、枠のみを残し荷重をかけておく。吸い込みグリルを枠から外すのは弾性体のクランプを枠の外側へ押し外すだけでよい。吸い込みグリルは洗浄液もワンタッチで枠に簡単に取り付けられ、フィルターのみならず、吸い込みグリルも簡単に洗浄できるという作用を有する。
【００１５】
【実施例】
以下、本発明の実施例について、図１から図４を用いて説明する。
【００１６】
（実施例１）
図１は本発明の実施例１によるグリル昇降装置の斜視図を示している。図１に示すように、本実施例によるグリル昇降装置は、空気調和機本体３の下面に密着した化粧パネル１２と、化粧パネル１２の上面一隅に取り付けられトルクリミッターを内蔵しない単一の昇降モータ１３と、化粧パネル１２の上面四隅にそれぞれ設けられた４個のパネルプーリ１４ａ，１４ｂ，１４ｃ，１４ｄと、化粧パネル１３に内挿される吸い込みグリル１５と、吸い込みグリル１５の上面に置かれるフィルター１６と、吸い込みグリル１５の上面四隅に位置する４個のグリルプーリ１７ａ，１７ｂ，１７ｃ，１８ｄと、一端を前記昇降モータ１３の軸１８に固着されパネルプーリ１４ａ、グリルプーリ１７ａ、グリルプーリ１７ｂ、パネルプーリ１４ｂ、パネルプーリ１４ｃ、グリルプーリ１７ｃ、グリルプーリ１７ｄ、パネルプーリ１４ｄの順に通過した後、他端を化粧パネル１２の上面に一隅に固着した一本のワイヤ１９とより構成されている。
【００１７】
以上も構成において、フィルター１６を洗浄するため、吸い込みグリル１５ごと下方へ降ろすために、昇降モータ１３を運転しワイヤ１９を下へ降ろす。次にフィルター１６を洗浄したのち吸い込みグリル１５の上にのせ、昇降モータ１３を逆回転しワイヤ１９を引き上げる。このとき吸い込みグリル１５の四隅の巻き取りスピードにずれが生じ、先に化粧パネル１２に当たった隅は巻き上げが完了し、ワイヤ１９は残った部分の引き上げを続行し、最後の隅の引き上げか完了すると検知用のリミットスイッチ２０がオンし、昇降モータ１３を停止させる。
【００１８】
（実施例２）
図２は、本発明の実施例２によるグリル昇降装置の斜視図を示し、図３は図２のＡ−Ａ′線における断面図を示している。図２および図３に示すように、本実施例のグリル昇降装置は、化粧パネル１２の上面でかつ吸い込みグリル１５の内挿時にスイッチがオンする位置に左リミットスイッチ２１を一個設け、さらに化粧パネル１２の中心に対し、左リミットスイッチ２１の点対称となる位置に右リミットスイッチ２２を設けた構成である。
【００１９】
以上の構成において、吸い込みグリル１５が引き上げられる際に、化粧パネル１２にひっかかり水平状態でなく吸い込みグリル１５の一端のみが左リミットスイッチに当たった場合、右リミットスイッチ２２はオンしていないため、内挿が完了できていないことを検知できる。このときは、異常を表示し、再引き上げを促す。左リミットスイッチ２１と右リミットスイッチ２２が同時にオンとなるときを内挿が完了したとして、昇降モータ１３を停止させ正常動作と判断する。
【００２０】
（実施例３）
図４は、本発明の実施例３によるグリル昇降装置の斜視図を示している。図４に示すように、本実施例のグリル昇降装置は、グリルプーリ１７ａ，１７ｂ，１７ｃ，１７ｄを四隅に設けた枠２３と、吸い込みグリル１５の上面に位置しひっかけ爪で枠２３をはさみこむ弾性体のクランプ２４とより構成されている。
【００２１】
以上の構成において、フィルター１６を洗浄すると同時に吸い込みグリル１５も洗浄するとき、吸い込みグリル１５をワイヤ１９から外すとワイヤの曲げぐせのため宙ぶらりんになり、からまるおそれもあり、枠２３のみを残し荷重をかけておく。吸い込みグリル１５を枠２３から外すのは簡単であり、クランプ２４を外すだけでよい。吸い込みグリル１５は洗浄後、クランプ２４を介して枠２３に簡単に取り付けられる。
【００２２】
【発明の効果】
以上のように本発明によれば、熱交換器、送風機等を内蔵した空気調和機本体と、前記空気調和機本体の下面に密着した化粧パネルと、前記化粧パネルの上面一隅に取り付けられた単一の昇降モータと、前記の化粧パネルの上面四隅にそれぞれ設けられたパネルプーリと、前記化粧パネルに内挿される吸い込みグリルと、前記吸い込みグリルの上面に置かれるフィルターと、前記吸い込みグリルの上面四隅に位置するグリルプーリと、一端を前記昇降モータの軸に固着され前記パネルプーリと前記グリルプーリとの間を鉛直方向に数回通過した後、他端を前記化粧パネルの上面の一隅に固着した一本のワイヤと、前記化粧パネルの上面でかつ前記吸い込みグリルの内挿時にスイッチがオンする位置に設けたリミットスイッチとより構成されるグリル昇降装置とすることにより、トルクリミッターを内蔵しいない単一の昇降モータを用いることができ、簡単な構造にでき、かつコストを下げ、省資源に寄与できる。
【００２３】
また、化粧パネルの上面でかつ吸い込みグリルの内挿時にスイッチがオンする位置に左リミットスイッチを一個設け、さらに前記化粧パネルの中心に対し前記左リミットスイッチの点対称となる位置に右リミットスイッチを設けた請求項１記載のグリル昇降装置とすることにより、吸い込みグリルを化粧パネルに完全に内挿できたことを検知でき、不完全な状態のまま動作を終了するのを回避でき、安心な空調を実現できる。
【００２４】
また、グリルプーリを四隅に設けた枠と、吸い込みグリルを前記枠の下面委固着するクランプとより構成される請求項１記載のグリル昇降装置とすることにより、ワイヤのからみを心配することなく吸い込みグリルの取外しが簡単にでき、フィルターのみならず吸い込みグリルも洗浄でき、美観を保つと同時に空気抵抗を減らすことができ、効率のよい空調が可能である。
【図面の簡単な説明】
【図１】本発明の実施例１によるグリル昇降装置の斜視図
【図２】本発明の実施例２によるグリル昇降装置の斜視図
【図３】図２のＡ−Ａ′線における断面図
【図４】本発明の実施例３によるグリル昇降装置の斜視図
【図５】従来のグリル昇降装置の斜視図
【図６】従来のグリル昇降装置を含む空気調和機本体の垂直断面図
【符号の説明】
１２  化粧パネル
１３  昇降モータ
１４ａ，１４ｂ，１４ｃ，１４ｄ  パネルプーリ
１５  吸い込みグリル
１６  フィルター
１７ａ，１７ｂ，１７ｃ，１７ｄ  グリルプーリ
１８  軸
１９  ワイヤ
２０  リミットスイッチ
２１  左リミットスイッチ
２２  右リミットスイッチ
２３  枠
２４  クランプ
【図１】
0003783286.tif 000002
【図２】
0003783286.tif 000003
【図３】
0003783286.tif 000004
【図４】
0003783286.tif 000005
【図５】
0003783286.tif 000006
【図６】
0003783286.tif 000007